(57)【要約】【課題】  複数種類のインクを重ねて画像を形成する場合のブロンズの発生を好適に抑制することができる情報処理方法及び情報処理装置、コンピュータプログラムを提供する。【解決手段】  印刷装置で使用する複数種類の記録剤それぞれの金属光沢特性を示す特性データを取得する。取得した前記複数の記録剤それぞれに対応する特性データが示す刺激値に基づいて、刺激値がより小さい記録剤が刺激値の大きい記録剤の上に重なって前記印刷媒体で画像が形成されるようにするための重ね順を決定する。決定した重ね順に従って、前記印刷データを生成する。【選択図】  図６
2008236219.tif 000002
【特許請求の範囲】
【請求項１】
複数種類の記録剤によって画像を印刷媒体上に印刷する印刷装置における印刷データを生成する情報処理方法であって、
前記印刷装置で使用する複数種類の記録剤それぞれの金属光沢特性を示す特性データを取得する取得工程と、
前記取得工程で取得した前記複数の記録剤それぞれに対応する特性データが示す刺激値に基づいて、刺激値がより小さい記録剤が刺激値の大きい記録剤の上に重なって前記印刷媒体で画像が形成されるようにするための重ね順を決定する決定工程と、
前記決定工程で決定した重ね順に従って、前記印刷データを生成する生成工程と
を備えることを特徴とする情報処理方法。
【請求項２】
前記印刷装置は、前記複数種類の記録剤のそれぞれを吐出する複数のノズル群を有する印刷ヘッドユニットと、
前記印刷ヘッドユニットと前記印刷媒体の少なくともいずれかを駆動して主走査を行う主走査駆動部と、
前記主走査が終わる度に前記印刷ヘッドと前記印刷媒体の少なくともいずれかを駆動して副走査を行う副走査駆動部と
を備えることを特徴とする請求項１に記載の情報処理方法。
【請求項３】
前記取得工程は、測定装置から前記特性データを取得し、
前記測定装置は、前記複数種類の記録剤を印刷媒体上に吐出して形成したパッチ画像の金属光沢特性を測定する
ことを特徴とする請求項１に記載の情報処理方法。
【請求項４】
前記測定装置は、測定対象の前記印刷媒体からの正反射光の色味を示す値を前記特性データとして測定する
ことを特徴とする請求項３に記載の情報処理方法。
【請求項５】
前記測定装置は、前記正反射光の分光強度のばらつきを測定する
ことを特徴とする請求項４に記載の情報処理方法。
【請求項６】
前記生成工程は、前記印刷装置において前記印刷媒体上に印刷する画像を形成する全画素において、前記重ね順が同一になるように、前記印刷データを生成する
ことを特徴とする請求項１に記載の情報処理方法。
【請求項７】
前記決定工程は、前記重ね順として、前記取得工程で取得した前記複数の記録剤それぞれに対応する特性データが示す刺激値の内、少なくとも最小の刺激値の記録剤が最上層となるような重ね順を決定する
ことを特徴とする請求項１に記載の情報処理方法。
【請求項８】
前記印刷装置で使用する印刷媒体を指定する選択部と、前記決定工程の処理の実行の可否を選択するための処理選択部を少なくとも有する、印刷条件を設定するための印刷設定画面を表示する表示工程と、
前記印刷設定画面を介して設定された印刷条件を入力する入力工程と、
前記印刷条件に従って、前記決定工程の実行を制御する制御工程と
を更に備えることを特徴とする請求項１に記載の情報処理方法。
【請求項９】
複数種類の記録剤によって画像を印刷媒体上に印刷する印刷装置における印刷データを生成する情報処理装置であって、
前記印刷装置で使用する複数種類の記録剤それぞれの金属光沢特性を示す特性データを取得する取得手段と、
前記取得手段で取得した前記複数の記録剤それぞれに対応する特性データが示す刺激値に基づいて、刺激値がより小さい記録剤が刺激値の大きい記録剤の上に重なって前記印刷媒体で画像が形成されるようにするための重ね順を決定する決定手段と、
前記決定手段で決定した重ね順に従って、前記印刷データを生成する生成手段と
を備えることを特徴とする情報処理装置。
【請求項１０】
前記印刷装置は、前記複数種類の記録剤のそれぞれを吐出する複数のノズル群を有する印刷ヘッドユニットと、
前記印刷ヘッドユニットと前記印刷媒体の少なくともいずれかを駆動して主走査を行う主走査駆動部と、
前記主走査が終わる度に前記印刷ヘッドと前記印刷媒体の少なくともいずれかを駆動して副走査を行う副走査駆動部と
を備えることを特徴とする請求項９に記載の情報処理装置。
【請求項１１】
前記取得手段は、測定装置から前記特性データを取得し、
前記測定装置は、前記複数種類の記録剤を印刷媒体上に吐出して形成したパッチ画像の金属光沢特性を測定する
ことを特徴とする請求項９に記載の情報処理装置。
【請求項１２】
前記測定装置は、測定対象の前記印刷媒体からの正反射光の色味を示す値を前記特性データとして測定する
ことを特徴とする請求項１１に記載の情報処理装置。
【請求項１３】
前記測定装置は、前記正反射光の分光強度のばらつきを測定する
ことを特徴とする請求項１２に記載の情報処理装置。
【請求項１４】
前記生成手段は、前記印刷装置において前記印刷媒体上に印刷する画像を形成する全画素において、前記重ね順が同一になるように、前記印刷データを生成する
ことを特徴とする請求項９に記載の情報処理装置。
【請求項１５】
前記決定手段は、前記重ね順として、前記取得手段で取得した前記複数の記録剤それぞれに対応する特性データが示す刺激値の内、少なくとも最小の刺激値の記録剤が最上層となるような重ね順を決定する
ことを特徴とする請求項９に記載の情報処理装置。
【請求項１６】
前記印刷装置で使用する印刷媒体を指定する選択部と、前記決定手段の処理の実行の可否を選択するための処理選択部を少なくとも有する、印刷条件を設定するための印刷設定画面を表示する表示手段と、
前記印刷設定画面を介して設定された印刷条件を入力する入力手段と、
前記印刷条件に従って、前記決定手段の実行を制御する制御手段と
を更に備えることを特徴とする請求項９に記載の情報処理装置。
【請求項１７】
複数種類の記録剤によって画像を印刷媒体上に印刷する印刷装置における印刷データを生成する情報処理方法をコンピュータに実行させるためのコンピュータプログラムであって、
前記印刷装置で使用する複数種類の記録剤それぞれの金属光沢特性を示す特性データを取得する取得工程と、
前記取得工程で取得した前記複数の記録剤それぞれに対応する特性データが示す刺激値に基づいて、刺激値がより小さい記録剤が刺激値の大きい記録剤の上に重なって前記印刷媒体で画像が形成されるようにするための重ね順を決定する決定工程と、
前記決定工程で決定した重ね順に従って、前記印刷データを生成する生成工程と
をコンピュータに実行させるためのコンピュータプログラム。
【発明の詳細な説明】
【技術分野】
【０００１】
本発明は、複数種類の記録剤によって画像を印刷媒体上に印刷する印刷装置における印刷データを生成する情報処理方法及び情報処理装置、コンピュータプログラムに関するものである。
【背景技術】
【０００２】
近年、ワードプロセッサ、パーソナルコンピュータ、ファクシミリ等に於ける情報出力装置として、所望される文字や画像等の情報を用紙やフィルム等のシート状の印刷媒体に記録を行う記録装置には様々な方式のものがある。その中で、印刷媒体に記録剤を付着することで印刷媒体上にテキストや画像を形成する方式が実用化されており、このような方式の代表例として、インクジェット記録装置がある。近年では、インクジェット記録装置の性能が向上し、テキストばかりでなく、カラー画像も記録されるようになってきた。
【０００３】
一方、カラーインクジェット記録装置の画質向上に伴い、カラーインクジェット記録装置を用いたデジタル画像の出力、いわゆる写真印刷が一般的になっている。写真印刷が一般的になるにつれ、出力された印刷媒体の保存性が重要視されている。
【０００４】
従来、インクジェット記録装置における記録剤には、主に染料インクが用いられてきたが、染料インクは保存性が低いため、カラーインクジェット記録装置においては、保存性の高い顔料インクが使用されることがある。特に、この顔料インクを用いたカラーインクジェット記録装置において顕著に見られる現象のひとつに、出力された印刷媒体表面に映り込んだ照明の像の色付きが観察されるブロンズ現象と呼ばれる現象がある。このブロンズ現象は、画像観察者にとって妨害要素であり、総合的な画質を低下させる要因になっている。
【０００５】
上述したインクジェット記録装置の中には、特許文献１及び２に開示されているように、複数種類のインクを用い、印刷媒体上に複数種類のインクドットを重ねて形成して、多色多階調の画像を再現するものがある。
【特許文献１】特開２００３−５４０１６号公報
【特許文献２】特開平６−１７１１１１号公報
【発明の開示】
【発明が解決しようとする課題】
【０００６】
ところで、インクを印刷媒体上に吐出して色を再現する場合には、再現された色のブロンズの発生がインクによって異なる場合がある。また、複数種類のインクを重ねて色を再現する場合には、その重ねる順序によって、再現された色のブロンズの発生が変わる場合がある。ここで、再現された色のブロンズの発生がより抑制されているほど、総合的な画質の向上を実現できる。ところが、従来は、ブロンズを考慮したインクの重ね順については、工夫されていないのが実情であった。
【０００７】
本発明は上記の課題を解決するためになされたものであり、複数種類のインクを重ねて画像を形成する場合のブロンズの発生を好適に抑制することができる情報処理方法及び情報処理装置、コンピュータプログラムを提供することを目的とする。
【課題を解決するための手段】
【０００８】
上記の目的を達成するための本発明による情報処理装置は以下の構成を備える。即ち、
複数種類の記録剤によって画像を印刷媒体上に印刷する印刷装置における印刷データを生成する情報処理方法であって、
前記印刷装置で使用する複数種類の記録剤それぞれの金属光沢特性を示す特性データを取得する取得工程と、
前記取得工程で取得した前記複数の記録剤それぞれに対応する特性データが示す刺激値に基づいて、刺激値がより小さい記録剤が刺激値の大きい記録剤の上に重なって前記印刷媒体で画像が形成されるようにするための重ね順を決定する決定工程と、
前記決定工程で決定した重ね順に従って、前記印刷データを生成する生成工程と
を備える。
【０００９】
また、好ましくは、前記印刷装置は、前記複数種類の記録剤のそれぞれを吐出する複数のノズル群を有する印刷ヘッドユニットと、
前記印刷ヘッドユニットと前記印刷媒体の少なくともいずれかを駆動して主走査を行う主走査駆動部と、
前記主走査が終わる度に前記印刷ヘッドと前記印刷媒体の少なくともいずれかを駆動して副走査を行う副走査駆動部と
を備える。
【００１０】
また、好ましくは、前記取得工程は、測定装置から前記特性データを取得し、
前記測定装置は、前記複数種類の記録剤を印刷媒体上に吐出して形成したパッチ画像の金属光沢特性を測定する。
【００１１】
また、好ましくは、前記測定装置は、測定対象の前記印刷媒体からの正反射光の色味を示す値を前記特性データとして測定する。
【００１２】
また、好ましくは、前記測定装置は、前記正反射光の分光強度のばらつきを測定する。
【００１３】
また、好ましくは、前記生成工程は、前記印刷装置において前記印刷媒体上に印刷する画像を形成する全画素において、前記重ね順が同一になるように、前記印刷データを生成する。
【００１４】
また、好ましくは、前記決定工程は、前記重ね順として、前記取得工程で取得した前記複数の記録剤それぞれに対応する特性データが示す刺激値の内、少なくとも最小の刺激値の記録剤が最上層となるような重ね順を決定する。
【００１５】
また、好ましくは、前記印刷装置で使用する印刷媒体を指定する選択部と、前記決定工程の処理の実行の可否を選択するための処理選択部を少なくとも有する、印刷条件を設定するための印刷設定画面を表示する表示工程と、
前記印刷設定画面を介して設定された印刷条件を入力する入力工程と、
前記印刷条件に従って、前記決定工程の実行を制御する制御工程と
を更に備える。
【００１６】
上記の目的を達成するための本発明による情報処理装置は以下の構成を備える。即ち、
複数種類の記録剤によって画像を印刷媒体上に印刷する印刷装置における印刷データを生成する情報処理装置であって、
前記印刷装置で使用する複数種類の記録剤それぞれの金属光沢特性を示す特性データを取得する取得手段と、
前記取得手段で取得した前記複数の記録剤それぞれに対応する特性データが示す刺激値に基づいて、刺激値がより小さい記録剤が刺激値の大きい記録剤の上に重なって前記印刷媒体で画像が形成されるようにするための重ね順を決定する決定手段と、
前記決定手段で決定した重ね順に従って、前記印刷データを生成する生成手段と
を備える。
【００１７】
上記の目的を達成するための本発明によるコンピュータプログラムは以下の構成を備える。即ち、
複数種類の記録剤によって画像を印刷媒体上に印刷する印刷装置における印刷データを生成する情報処理方法をコンピュータに実行させるためのコンピュータプログラムであって、
前記印刷装置で使用する複数種類の記録剤それぞれの金属光沢特性を示す特性データを取得する取得工程と、
前記取得工程で取得した前記複数の記録剤それぞれに対応する特性データが示す刺激値に基づいて、刺激値がより小さい記録剤が刺激値の大きい記録剤の上に重なって前記印刷媒体で画像が形成されるようにするための重ね順を決定する決定工程と、
前記決定工程で決定した重ね順に従って、前記印刷データを生成する生成工程と
をコンピュータに実行させる。
【発明の効果】
【００１８】
本発明によれば、複数種類のインクを重ねて画像を形成する場合のブロンズの発生を好適に抑制することができる情報処理方法及び情報処理装置、コンピュータプログラムを提供できる。
【発明を実施するための最良の形態】
【００１９】
以下、本発明の実施の形態について図面を用いて詳細に説明する。
【００２０】
尚、以下の実施形態は、特許請求の範囲に係る本発明を限定するものでなく、また、実施形態で説明されている特徴の組み合わせの全てが本発明の解決手段に必須のものとは限らない。
【００２１】
＜装置構成概要＞
図１Ａは本発明の実施形態の画像形成システムの構成を示すブロック図である。
【００２２】
この画像形成システムは、画像形成制御装置（情報処理装置）としてのコンピュータ１０２０と、画像形成部としてのプリンタ１０４０とで構成されている。尚、プリンタ１０４０とコンピュータ１０２０の組み合わせを、広義の「画像形成装置（あるいは印刷装置）」と呼ぶことができる。
【００２３】
ここで、プリンタ１０４０は、例えば、インクジェット方式のプリンタや複合機、または、電子写真方式のプリンタや複写機等であるが、例えば、熱転写方式のプリンタ等でも良く、画像形成装置の種類は限定されるものではない。また、プリンタ１０４０が画像を形成する印刷媒体は、光沢紙、普通紙、アート紙等の印刷用紙が考えられるが、本発明はこれに限定されるものではない。また、プリンタ１０４０が記録に用いる記録剤は、染料インク、顔料インク、トナー等が考えられるが、これに限定されるものではない。
【００２４】
コンピュータ１０２０では、所定のオペレーティングシステムの下で、アプリケーションプログラム１０２１が動作している。オペレーティングシステムには、ビデオドライバ１０２２やプリンタドライバ１０３０が組み込まれている。アプリケーションプログラム１０２１からは、これらのプリンタドライバ１０３０を介して、プリンタ１０４０に転送するための印刷（画像形成）データが出力される。アプリケーションプログラム１０２１は、処理対処の画像に対して所望の処理を行い、また、ビデオドライバ１０２２を介して表示部１０１０に画像を表示する。
【００２５】
ここでは、入力画像としてＲＧＢ画像を扱う場合の例を説明する。プリンタドライバＵＩ（ユーザインタフェース）１０２３を介してアプリケーションプログラム１０２１が印刷命令を発行すると、コンピュータ１０２０のプリンタドライバ１０３０が、画像データをアプリケーションプログラム１０２１から受信する。そして、プリンタドライバ１０３０は、この画像データをプリンタ１０４０に供給するための印刷データに変換する。
【００２６】
図１Ａの例では、プリンタドライバ１０３０の内部には、解像度変換モジュール１０３１と、色変換モジュール１０３２と、ＨＴ（ハーフトーン）作成モジュール１０３３と、印刷データ生成モジュール１０３４とを備えている。
【００２７】
印刷データ生成モジュール１０３４は、本発明における印刷データ生成部として機能する。印刷データ生成モジュール１０３４では、ブロンズ特性（金属光沢特性）ＤＢ（データベース）を参照して、後述するプリンタ１０４０で用いる記録剤の印刷媒体に対する重ね順を決定する重ね順決定処理を実行する。
【００２８】
解像度変換モジュール１０３１は、アプリケーションプログラム１０２１が扱っているカラー画像データの解像度（即ち、単位長さあたりの画素数）を、プリンタドライバ１０３０が扱うことのできる解像度に変換する。解像度が変換された画像データは、ここでは、まだ、ＲＧＢの３色からなる画像情報である。
【００２９】
色変換モジュール１０３２は、ルックアップテーブル（ＬＵＴ）１０３５を参照しつつ、画素毎に、ＲＧＢ画像データ（第１画像データ）を、プリンタ１０４０が利用可能な複数のインク色の多階調データ（第２画像データ）に変換する。変換された多階調データは、例えば、２５６階調の階調値を有している。
【００３０】
ＨＴ（ハーフトーン）作成モジュール１０３３は、プリンタ１０４０で出力するインクドットを印刷媒体上に分散して形成することにより、多階調データの階調値を表現するためのハーフトーン処理を画像データに対して実行する。印刷データ生成モジュール１０３４は、このハーフトーン処理された画像データをプリンタ１０４０に転送すべきデータ順に並び替え、最終的な印刷データとしてプリンタ１０４０に出力する。尚、この印刷データは、各主走査時のドットの記録状態を示すラスタデータと、プリンタ１０４０が搬送する印刷媒体に対する副走査送り量を示すデータとを含んでいる。
【００３１】
ここで、プリンタドライバ１０３０は、印刷データを生成する機能（情報処理方法）を実現するためのプログラムに相当する。プリンタドライバ１０３０の機能を実現するためのプログラムは、コンピュータ読取可能な記録媒体に記録された形態で供給される。
【００３２】
このような記録媒体としては、コンピュータが読み取り可能な種々の媒体を利用できる。この媒体としては、フレキシブルディスクやＣＤ−ＲＯＭ、光磁気ディスク、ＩＣカード、ＲＯＭカートリッジ、パンチカード、バーコード等の符号が印刷された印刷物がある。また、別の媒体としては、コンピュータの内部記憶装置（ＲＡＭやＲＯＭ等のメモリ）及び外部記憶装置等がある。
【００３３】
もちろん装置構成はこれに限定されるものではなく、例えば、プリンタドライバ１０３０を構成する各モジュール１０３１〜１０３６（ＬＵＴ１０３５を含む）は、プリンタドライバ１０３０と別のアプリケーションプログラムとして実装されていても良い。
【００３４】
ブロンズ測定装置１０５０は、プリンタ１０４０によって印刷された印刷媒体上のインクの単色ベタパッチ画像のブロンズ（金属光沢）特性を測定し、その測定結果（特性データ）を、コンピュータ１０２０のブロンズ特性ＤＢ１０３６へ出力する。尚、コンピュータ１０２０はブロンズ測定装置１０５０における測定処理を制御して、得られる測定結果を取得することが可能である。
【００３５】
次に、コンピュータ１０２０のハードウェア構成について、図１Ｂを用いて説明する。
【００３６】
図１Ｂは本発明の実施形態のコンピュータのハードウェア構成を示すブロック図である。
【００３７】
図１Ｂにおいて、ＣＰＵ１２０１は、ＲＡＭ１２０２及びＲＯＭ１２０３に記憶されたプログラムに従って、画像形成制御装置であるコンピュータ１０２０全体の動作を制御する。ＲＡＭ１２０２は、ＣＰＵ１２０１のメインメモリとして使用され、ＣＰＵ１２０１により実行されるプログラムがロードされる。また、このＲＡＭ１２０２は、ＣＰＵ１２０１による制御動作時に各種データを一時的に保存するワークエリアを提供している。ＲＯＭ１２０３は、ブートプログラムや各種データを不揮発に記憶している。
【００３８】
表示部１０１０は、ＣＲＴや液晶等の表示ユニットを有し、処理対象のデータや後述するＵＩ画面等の表示に使用する。入力部１２０５は、キーボード、マウス等のポインティングデバイスを有し、ユーザの操作により各種データやコマンドを入力するのに使用される。
【００３９】
外部記憶装置１２０６は、ハードディスク等の大容量の記憶装置である。この外部記憶装置１２０６には、ＯＳ、各種アプリケーションプログラムやプリンタドライバ、及びデータ等が予めインストールされている。そして、そのプログラムの起動が指示されると、プログラムはＲＡＭ１２０２にロードされて実行される。
【００４０】
ネットワークインタフェース（Ｉ／Ｆ）１２０７は、ＬＡＮ等のネットワーク１２０９とのインタフェースを制御している。このネットワーク１２０９には、プリンタ１０４０や各種入出力機器が接続されている。入出力ポート１２０８は、例えば、ＵＳＢやＩＥＥＥ１３９４等のインタフェースである。
【００４１】
＜ＵＩ部＞
次に、プリンタドライバＵＩ１０２３の一例を、図２を参照して説明する。
【００４２】
図２は本発明の実施形態のプリンタドライバＵＩの一例を示す図である。
【００４３】
図２では、プリンタドライバＵＩ１０２３における印刷設定画面２０１を示している。２０２は入力テキストボックスであり、印刷対象とする所望の画像データを指定／入力するためのコントロールである。ここには、画像データのファイル名等の情報が入力される。２０３はコンボボックスであり、印刷する際に使用する印刷媒体を選択するためのコントロール（選択部）である。コンボボックス２０３は、プリンタ１０４０において使用可能な全ての種類の印刷媒体から任意の印刷媒体を選択可能にする。
【００４４】
２０４はグループボックスであり、ラジオボタン２０５及び２０６を二者択一で選択するためのコントロール（処理選択部）である。このグループボックス２０４は、ラジオボタン２０５と２０６のどちらか一方のみ選択されるような機能を有する。ラジオボタン２０５は、ブロンズ抑制処理を実行しない（禁止する）モードを選択するためのコントロールである。ラジオボタン２０６は、ブロンズ抑制処理を実行するモードを選択するためのコントロールである。つまり、ラジオボタン２０５及び２０６は、ブロンズ抑制処理の実行の可否を実現するコントロールとして機能する。
【００４５】
そして、ラジオボタン２０５が選択状態（チェック）になっていれば、ブロンズ抑制処理を実行しない記録剤の重ね順で画像がプリンタ１０４０から印刷媒体上に印刷される。一方、ラジオボタン２０６が選択状態（チェック）になっていれば、ブロンズ抑制処理（重ね順決定処理）を実行する記録剤の重ね順で画像がプリンタ１０４０から印刷媒体上に印刷される。
【００４６】
尚、このブロンズ抑制処理は、プリンタドライバ１０３０（印刷データ生成モジュール１０３４）によって実行する。この処理の詳細については後述する。
【００４７】
２０７は印刷ボタンであり、印刷設定画面２０１上で設定される各種設定を印刷条件として設定し、ＲＡＭ１２０２に記憶するとともに、その印刷条件に基づいて印刷の実行を指示するためのコントロールである。即ち、画像データとブロンズ抑制処理に関する印刷条件を、プリンタドライバ１０３０に送信する。２０８はキャンセルボタンであり、印刷設定画面２０１における各種設定を取り消すためのコントロールである。
【００４８】
尚、印刷設定画面２０１におけるテキストボックス、コンボボックス、ラジオボタン、グループボックス等の各種コントロールは、あくまでも一例である。従って、同様の機能を具備するものであれば、その他のオブジェクトであっても何ら問題ない。
【００４９】
＜ブロンズ測定部＞
次に、ブロンズ特性ＤＢ（データベース）１０３６に格納される、各色材のブロンズ特性の測定方法を、図３〜図６を参照して説明する。この測定は、ブロンズ測定装置１０５０によって実現される。
【００５０】
図３は本発明の実施形態のブロンズ測定装置の幾何光学系を示す概念図である。
【００５１】
３０１は、評価対象となる印刷媒体３０３を照明する照明部（光源）である。この照明部３０１としては、ハロゲン電球、キセノンランプ、超高圧水銀ランプ、重水素ランプ、ＬＥＤ、あるいは、これらのいずれか複数を組み合わせたものでも良い。
【００５２】
３０２は、評価対象となる印刷媒体３０３からの正反射光を検出する光検出部（受光器）である。この光検出部３０２に利用する検出器としては、単受光面形のフォトダイオード、光電管、光電子増倍管や、多素子受光面形のＳｉフォトダイオードアレイ、ＣＣＤ等を利用して良い。また、光検出部３０２は、回折格子やプリズム等の分光する分光部も備える。更に、光検出部３０２は、印刷媒体３０３の法線方向に対して、照明部３０１と反対側に同一角度θ傾いた箇所、即ち、正反射方向に位置する。照明部３０１及び光検出部３０２には、それぞれ光学（レンズ等）系を備える構成でも良い。
【００５３】
３０３は、評価対象となる印刷媒体である。評価対象となる印刷媒体３０３は、例えば静電吸着やエアポンプによる吸引等の固定手段により、できるだけ平らに保つことが望ましい。
【００５４】
３０４は、照明部３０１の光を検出する光検出部である。光検出部３０４は、光検出部３０２と同一のものであり、ブロンズ発生量を算出するために、特に、照明部３０１の分光強度を測定する。尚、この照明部３０１の分光強度は、完全拡散反射体等の白色板、または、鏡面を測定対象としてその正反射光の分光強度を、光検出部３０２で測定しても良い。あるいは、照明光をビームスプリット等で分離して、光検出部３０２とは別の光検出部によって測定しても良い。
【００５５】
次に、測定した印刷媒体の正反射光からブロンズ特性（ブロンズ発生量）を算出する方法（ブロンズ算出処理）について、図４を用いて説明する。
【００５６】
図４は本発明の実施形態のブロンズ特性を算出する方法を説明するための図である。
【００５７】
尚、このブロンズ特性を算出するブロンズ算出処理は、ブロンズ測定装置１０５０から得られる測定結果に基づいて、例えば、コンピュータ１０２０のプリンタドライバ１０３０の印刷データ生成モジュール１０３４の重ね順決定処理の一部として実行する。但し、このブロンズ算出処理を実現するための機能をブロンズ測定装置１０５０に実装することで、ブロンズ測定装置１０５０でブロンズ算出処理を実行するようにしても良い。
【００５８】
図４では、ある２種類の試料Ａ、Ｂの分光強度の測定例を示している。４０１は、比較的ブロンズ発生が閾値より大きい試料Ａの分光強度である。４０２は、比較的ブロンズ発生が閾値より小さい試料Ｂの分光強度である。
【００５９】
光検出部３０２によって測定される印刷媒体３０３からの正反射光の分光強度Ｒx（λ）から、以下の（１）式によって、正反射光の三刺激値ＸｘＹｘＺｘを算出する。
【００６０】
【数１】
2008236219.tif 000003
【００６１】
但し、上記（１）式において、図３の光学系では正反射光を測定するため、例えば、光沢紙のように艶の度合いが大きいものは、その正反射光の測定値のレンジは光源の測定値のレンジに近くなる。つまり、光源からの光を直接測光する測定系に類似している。
【００６２】
従って、通常の反射による物体色の三刺激値の算出とは異なり、正反射光の分光強度を光源の相対分光分布とみなし、光源色の三刺激値の算出方法に従う。式（１）のｘ￣（λ）、ｙ￣（λ）、ｚ￣（λ）はＪＩＳ  Ｚ  ８７８２の等色関数である。また、本実施形態では、比例定数の乗算による正規化を行わないが、以下の（２）式によって、
【００６３】
【数２】
2008236219.tif 000004
【００６４】
を乗算する等の正規化を行って良い。
【００６５】
光検出部３０４によって測定される照明の分光強度ｓ（λ）から、以下の（３）式によって、照明の三刺激値ＸｓＹｓＺｓを算出する。式（３）は、光源色の三刺激値の算出方法に基づいており、上記照明の分光データから三刺激値ＸｓＹｓＺｓを算出する変換式である。
【００６６】
【数３】
2008236219.tif 000005
【００６７】
式（３）のｘ￣（λ）、ｙ￣（λ）、ｚ￣（λ）は、ＪＩＳ  Ｚ  ８７８２の等色関数である。また、式（３）のｋは比例定数で、三刺激値のＹｓの値が測光量に一致するように定める。
【００６８】
次に、光検出部３０２で検出された評価対象となる印刷媒体３０３の正反射の三刺激値ＸｘＹｘＺｘと、光検出部３０４で検出された照明の三刺激値ＸｓＹｓＺｓを取得する。そして、これらの三刺激値ＸｘＹｘＺｘと三刺激値ＸｓＹｓＺｓから、ＪＩＳ  Ｚ  ８７２９規格で規定される式（１）乃至式（４）に基づいて、印刷媒体３０３の正反射光のＣＩＥ−Ｌａｂ色空間におけるＬ＊ａ＊ｂ＊値を算出する。
【００６９】
ここで、ＪＩＳ  Ｚ  ８７２９規格で規定される式（１）乃至式（４）とは、例えば、ＪＩＳハンドブック  色彩（２００１年１月３１日、日本規格協会発行）で示されている。
【００７０】
但し、ＪＩＳ  Ｚ  ８７２９の式（１）乃至式（４）におけるＸ、Ｙ、Ｚの値には、印刷媒体３０３の正反射光の三刺激値（Ｘｘ，Ｙｘ，Ｚｘ）を使用する。また、Ｘｎ、Ｙｎ、Ｚｎの値には、光源の三刺激値（Ｘｓ，Ｙｓ，Ｚｘ）を使用する。即ち、ａ＊、ｂ＊の値は、以下の（４）式によって算出される。
【００７１】
【数４】
2008236219.tif 000006
【００７２】
ブロンズは、映り込んだ照明の像の明るさではなくその色味（色味を示す値）に関係するため、本実施形態において明るさを示す値であるＬ＊の値は評価に用いない。本実施形態では、回折格子等を利用した分光強度を用いてＬ＊ａ＊ｂ＊値を算出する例を示したが、光検出部３０２には、カラーフィルタ等を用いて三刺激値ＸＹＺを光電的に直接読み取る方法を用いても良い。尚、分光強度は、分光放射輝度等の他の分光特性値（色味を示す値）を用いても同一の議論が成立する。
【００７３】
次に、ブロンズ特性の測定結果の一例について、図５を用いて説明する。
【００７４】
図５は本発明の実施形態のブロンズ特性の測定結果の一例を示す図である。
【００７５】
５０１は、図４の分光強度４０１で示される試料Ａのブロンズ特性である。５０２は、図４の分光強度４０２で示される試料Ｂのブロンズ特性である。５０３は、照明部（光源）３０１を、ａ＊ｂ＊平面上にプロットしたものである。ブロンズ発生量は、ａｂクロマの大きさ（つまり、ａ＊ｂ＊平面における原点からの距離）で評価する。
【００７６】
ここでは、ａｂクロマの大きさでブロンズ発生量を評価する方法を示しているが、これに限定されるものではない。例えば、図４に示す分光強度の最大値と最小値の差、あるいは、分光強度の強度方向へのばらつき（標準偏差等）等、正反射光の色付きの大きさを示すものであれば、何ら問題はない。
【００７７】
＜重ね順決定部＞
次に、図１のプリンタ１０４０の印刷に用いるインクドットの印刷媒体への重ね順を決定する、印刷データ生成モジュール１０３４による重ね順決定処理について、図６を用いて説明する。
【００７８】
図６は本発明の実施形態の印刷データ生成モジュールによる重ね順決定処理を示すフローチャートである。
【００７９】
ステップＳ６１で、コンピュータ１０２０はプリンタ１０４０を制御することで、プリンタ１０４０に搭載する全てのインクの単色ベタパッチ画像を印刷媒体上に印刷して作成する。この際の印刷媒体は、所定のＯＨＰシートや、ＰＥＴシート等を用いて良い。その他にも、実際の印刷に用いる印刷用紙を用いても良い。また、パッチ画像を印刷する印刷媒体は、印刷設定画面２０１のコンボボックス２０３で指定された印刷媒体である。
【００８０】
次に、ステップＳ６２で、コンピュータ１０２０はブロンズ測定装置１０５０を制御することで、ブロンズ測定装置１０５０によって、ステップＳ６１にて印刷した全色の単色ベタパッチ画像について正反射光の分光強度を測定する。
【００８１】
ステップＳ６３で、コンピュータ１０２０は、ブロンズ測定装置１０５０から、プリンタ１０４０に搭載されている全種類のインクについて、正反射光の分光強度を取得したか否かを判定する。ここで、プリンタ１０４０に搭載されている全種類のインクについて、正反射光の分光強度の測定が行われていない場合（ステップＳ６３でＮＯ）、ステップＳ６１、ステップＳ６２の処理を繰り返す。
【００８２】
プリンタ１０４０に搭載されている全種類のインクについて、正反射光の分光強度の測定が行われている場合（ステップＳ６３でＹＥＳ）、ステップＳ６４で、この全種類のインクについて、ブロンズ発生量を算出する。このブロンズ発生量は、図４及び図５で説明したブロンズ算出処理によって算出する。
【００８３】
尚、このブロンズ算出処理は、上述のように、コンピュータ１０２０のプリンタドライバ１０３０の印刷データ生成モジュール１０３４によって実行する。
【００８４】
ステップＳ６５で、コンピュータ１０２０は、算出したブロンズ発生量を特性データとして、図１に示すブロンズ特性ＤＢ１０３６に格納する。
【００８５】
そして、ステップＳ６６で、プリンタドライバ１０３０（印刷データ生成モジュール１０３４）は、ブロンズ抑制処理（重ね順決定処理）として、得られるブロンズ発生量を用いて、ブロンズが発生しにくい順にインクを重ねて印刷するための重ね順を決定する。つまり、印刷データ生成モジュール１０３４は、画像を構成する一画素のブロンズ発生量が一番少ないインクが印刷媒体に対して一番上に重なるような印刷データを生成する。これにより、印刷媒体上に形成される出力画像のブロンズの発生を抑制することができる。
【００８６】
また、図６の処理を印刷設定画面２０１のコンボボックス２０３で指定された印刷媒体毎に実行することで、ブロンズ特性ＤＢ１０３６には、印刷媒体毎のブロンズ特性データを管理することが可能となる。
【００８７】
＜ヘッドユニット部＞
次に、プリンタ１０４０の記録剤（インク）を吐出して、印刷媒体上に画像を形成するための印刷ヘッドユニットの例について、図７を用いて説明する。
【００８８】
図７は本発明の実施形態のプリンタの印刷ヘッドユニットの一例を示す図である。
【００８９】
尚、印刷装置であるプリンタ１０４０は、複数種類の記録剤のそれぞれを吐出する複数のノズル群を有する印刷ヘッドユニットを備える。また、印刷ヘッドユニットと印刷媒体の少なくともいずれかを駆動して主走査を行う主走査駆動部と、その主走査が終了する度に印刷ヘッドユニットと印刷媒体の少なくともいずれかを駆動して副走査を行う副走査駆動部を備える。
【００９０】
本実施形態では、印刷ヘッドユニットを走査する方向である主走査方向は、印刷媒体を搬送する方向である副走査方向に対して垂直であるとする。また、印刷ヘッドユニット７０に配置されている、３つの混色用ノズル群７１、７２、７３は、副走査方向に沿って１列に配列されている。従って、３つの混色用ノズル群７１、７２、７３は、主走査方向に垂直な方向（副走査方向）については、互いに重ならない位置に配置されることになる。
【００９１】
ここで、例えば、ノズル群７１はシアンインクを吐出するノズル群であり、ノズル群７２はマゼンタインクを吐出するノズル群であり、ノズル群７３はイエローインクを吐出するノズル群である。
【００９２】
図７の左側には、繰り返し行われる主走査における、印刷ヘッドユニット７０の副走査方向の位置が示されている。印刷ヘッドユニット７０の下部に示す「パス」という文字は、主走査の回数を示す番号を意味している。例えば、「パスｍ＋１」は（ｍ＋１）回目の主走査（ｍは整数）を意味し、「パスｍ＋１」で示される印刷ヘッドユニット７０は、ｍ＋１回目の主走査における、印刷ヘッドユニット７０の副走査方向の位置を示している。
【００９３】
図中の２つの印刷ヘッド（例えば、パスｍ＋１とパスｍ＋２）をつなぐ矢印に添えられた「Ｆ」という文字は、２つの主走査の間に行われる、印刷媒体の副走査送りの送り量（搬送量）を意味する。その単位はドット（副走査方向の印刷解像度に相当するドットピッチ）である。図７の例では、各主走査が終了する度に、３ドットの送り量Ｆで副走査送りが実行される。
【００９４】
図７の例では、印刷ヘッドユニット７０は、一定の走査範囲（主走査方向における最大印刷可能範囲）内で、その範囲の端部である一方のホームポジションから他方の端部までの間を往復走査することができる。本実施形態では、特に、主走査方向において、ホームポジションを起点に往方向（片方向）の走査のみ印刷する場合を片方向印刷と呼び、往復方向の両方向で印刷する場合を双方向印刷と呼ぶ。
【００９５】
図７では、この２種類の印刷の内、双方向印刷を行っている例を示している。ここで、双方向印刷は、上述のように、印刷ヘッドユニット７０が印刷媒体に対し往復運動する主走査の内、往動時のみならず復動時にもインクドットを形成する印刷を意味する。また、各ノズルは、１回の走査において、各ラスタライン上の全画素位置の画素を記録対象としている。
【００９６】
図７の右側には、また、各主走査において、ラスタライン（主走査ラインとも呼ぶ）の記録に使用されるノズルとラスタライン番号とが点線でつながれている。例えば、ラスタライン番号がｎ＋２（ｎ：整数）であるラスタラインは、イエローノズル群７３によるパスｍ（往動）、マゼンタノズル群７２によるパスｍ＋１（復動）、シアンノズル群７１によるパスｍ＋２（往動）の３回の走査で記録される。
【００９７】
他のラスタラインも、同様に、３回の走査によって、３つのインク（ここでは、イエロー、マゼンタ、シアン）のインクドットが、イエロー、マゼンタ、シアンの順に重ねて形成される。全ラスタラインのインクの重ね順は、主走査方向の上流側から下流側に向かう（印刷媒体の搬送方向に沿う）ノズル群の順序（イエローノズル群７３、マゼンタノズル群７２、シアンノズル群７１の順）と同じ、イエロー、マゼンタ、シアンの順で記録される。
【００９８】
次に、インクドットの重なりの様子について、ブロンズ発生量が顕著な顔料インクの場合の例を、図８を用いて説明する。ここでは、ブロンズ発生量が、イエロー、マゼンタ、シアンの順で小さい場合の例を説明する。
【００９９】
図８は本発明の実施形態のインクドットの重なりの様子について、ブロンズ発生量が顕著な顔料インクの場合の例を示す図である。
【０１００】
図８では、印刷媒体８０１上に、図７に示す印刷ヘッドユニット７０の上流側から下流側に向かうノズル群の順序に従い、イエロードット８０２、マゼンタドット８０３、シアンドット８０４が重なり、印刷媒体８０１面上に付着する。この場合、もっともブロンズ発生に関係するのは最表層のシアンドット８０４である。換言すれば、少なくともブロンズ発生量が最小の記録剤であるシアンが最上層となるように、各記録剤の重ね順が決定されている。
【０１０１】
このように、印刷ヘッドユニット７０において、全ての混色用ノズル群を副走査方向に沿って互いに重ならないように配置することで、双方向印刷を行いつつ、全てのラスタラインにおいてインクの重ね順を同一とすることができる。本構成によれば、ブロンズ発生量の大きいインクの上に、ブロンズ発生量の小さいインクを重ねることが可能である。また、色ムラの発生も抑えることができる。
【０１０２】
ここでは、３つの混色用インクの場合で説明したが、これに限らず、特色インク、淡インク等が使われる場合、即ち、４種類以上の混色インクの場合でも同様の議論が成り立つ。
【０１０３】
また、例えば、採用されるインクの種類に変更があった場合は、同様にブロンズ発生の大小を考慮してインクの差込位置を変更すれば良い。
【０１０４】
また、重ね順を一意に決定できる印刷方法であれば、印刷方法は上述した方法に限らない。
【０１０５】
また、図７では、双方向印刷の例で説明しているが、片方向印刷を行う場合にも、同様に、本発明を適用することができる。
【０１０６】
以上説明したように、本実施形態によれば、複数種類の特定の混色用インクに関し、印刷媒体上で、ブロンズ発生量がより小さいインクが、ブロンズ発生量の大きいインクの上に重ねられるようにして印刷制御することができる。これにより、印刷媒体上で再現された色のブロンズ発生量をより抑制することができる。
【０１０７】
以上、実施形態例を詳述したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【０１０８】
尚、本発明は、前述した実施形態の機能を実現するソフトウェアのプログラム（実施形態では図に示すフローチャートに対応したプログラム）を、システムあるいは装置に直接あるいは遠隔から供給する。そして、そのシステムあるいは装置のコンピュータが該供給されたプログラムコードを読み出して実行することによっても達成される場合を含む。
【０１０９】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１１０】
その場合、プログラムの機能を有していれば、オブジェクトコード、インタプリタにより実行されるプログラム、ＯＳに供給するスクリプトデータ等の形態であっても良い。
【０１１１】
プログラムを供給するための記録媒体としては、例えば、フロッピー（登録商標）ディスク、ハードディスク、光ディスクがある。また、更に、記録媒体としては、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１１２】
その他、プログラムの供給方法としては、クライアントコンピュータのブラウザを用いてインターネットのホームページに接続する。そして、その接続先のホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１１３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１１４】
また、コンピュータが、読み出したプログラムを実行することによって、前述した実施形態の機能が実現される。また、そのプログラムの指示に基づき、コンピュータ上で稼動しているＯＳなどが、実際の処理の一部または全部を行ない、その処理によっても前述した実施形態の機能が実現され得る。
【０１１５】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【０１１６】
【図１Ａ】本発明の実施形態の画像形成システムの構成を示すブロック図である。
【図１Ｂ】本発明の実施形態のコンピュータのハードウェア構成を示すブロック図である。
【図２】本発明の実施形態のプリンタドライバＵＩの一例を示す図である。
【図３】本発明の実施形態のブロンズ測定装置の幾何光学系を示す概念図である。
【図４】本発明の実施形態のブロンズ特性を算出する方法を説明するための図である。
【図５】本発明の実施形態のブロンズ特性の測定結果の一例を示す図である。
【図６】本発明の実施形態の印刷データ生成モジュールによる重ね順決定処理を示すフローチャートである。
【図７】本発明の実施形態のプリンタの印刷ヘッドユニットの一例を示す図である。
【図８】本発明の実施形態のインクドットの重なりの様子について、ブロンズ発生量が顕著な顔料インクの場合の例を示す図である。
【符号の説明】
【０１１７】
１０１０  表示部
１０２０  コンピュータ
１０２１  アプリケーションプログラム
１０２２  ビデオドライバ
１０２３  プリンタドライバＵＩ
１０３０  プリンタドライバ
１０３１  解像度変換モジュール
１０３２  色変換モジュール
１０３３  ＨＴ作成モジュール
１０３４  印刷データ生成モジュール
１０３５  ルックアップテーブル
１０３６  ブロンズ特性ＤＢ
１０４０  プリンタ
１０５０  ブロンズ測定装置
【図１Ａ】
2008236219.tif 000007
【図１Ｂ】
2008236219.tif 000008
【図２】
2008236219.tif 000009
【図３】
2008236219.tif 000010
【図４】
2008236219.tif 000011
【図５】
2008236219.tif 000012
【図６】
2008236219.tif 000013
【図７】
2008236219.tif 000014
【図８】
2008236219.tif 000015